(57)【要約】      （修正有）【課題】多数のサイトをサイト毎に閲覧することなく必要な情報があるか否かの確認ができるようにする。【解決手段】インターネット上で１つのページに，更新されたページの更新内容を表示する。そのために，ＲＳＳが備わっているサイトか否かを問わず，サイト内の情報をデータベースに内容を蓄積し，一定時間毎に，登録されたサイトを自動で巡回して，データベースに蓄積された内容と比較して，蓄積された内容に存在しない情報を更新されたものとして本システムのＷｅｂサイトにすべてまとめて表示できるようにするとともに，更新情報をメールで発信する。【選択図】図２
2009070355.tif 000002
【特許請求の範囲】
【請求項１】
インターネット閲覧者が，インターネット上の本システムに登録したＷｅｂサイトのページのデータを，ＲＳＳに頼らずに，本サーバシステムに収集し，自動的に巡回することで，前に収集したデータと巡回して得られたデータとを比較して，異なる部分を，新しい更新情報として，本システムサーバのＷｅｂ上のページでウェーブブラウザを通して，Ｗｅｂサイトのページの更新状況が一覧できるシステム。
【請求項２】
登録されたＷｅｂサイトのページと関連するページをデータベース上で，独自に付与したコードと登録されたＵＲＬをもとにして，それらをリンクさせることによって，利用者が，更新情報とともに関連するページを容易に閲覧できるようにしたシステム。
【請求項３】
インターネット閲覧者が，更新されたら見たいと思うサイトやカテゴリーを会員登録する。それにより，得たい情報のページやカテゴリーを登録して，登録されたページやカテゴリーに新しい更新があった場合に，Ｅメールで会員登録利用者に知らせることができるようにしたシステム。
【発明の詳細な説明】
【技術分野】
【０００１】インターネットの情報発信サービスに関するもの
【背景技術】
【０００２】  従来，新しいインターネット上のページの更新状況を知るためには，ＲＳＳとよばれる機能を用いるか，サイト運営者が発信するニュースメールによるものか，自分自身で，ウェーブブラウザで見る他なかった。しかし，ＲＳＳもニュースメールもすべてのサイトに備わっているものではない。そこで，本システムを発明した。
【非特許文献１】川崎克己  著『Ｊａｖａスパイダルツール  サンプル＆クックブック』（２００５年）秀和システム
【発明の開示】
【発明が解決しようとする課題】
【０００３】  従来，インターネットの閲覧者がサイトの更新を確認するためには，自らその目的のサイトのページ毎に閲覧するか，更新情報発信用に用いられるＲＳＳ（ＲＤＦ  Ｓｉｔｅ  Ｓｕｍｍａｒｙ）とよばれる機能を使用して，サイトが発信する一方的な更新情報を，専用ソフトを用いて確認する他はなかった。
しかし，多数のサイトをページ毎に見るのは困難であるし，ＲＳＳ機能が備わっているサイトも少ない。また，ＲＳＳがサーバに負担をかけるということで廃止するサイトもある。そうした中で，肝心な必要な情報を見落として損失を被ることがあった。
【課題を解決するための手段】
【０００４】  インターネット上で１つのページに更新されたページの更新内容を表示するか，Ｅメールで発信すれば上記の問題は解決される。そのためには，ＲＳＳが備わっているサイトか否かを問わず，サイト内の情報のＨＴＭＬソースをデータベースに内容を蓄積し、一定時間毎に登録されたサイトを自動で巡回して，データベースに蓄積された内容と比較して，蓄積された内容に存在しない情報を新しい更新された情報として本システムＷｅｂサーバから，ウェーブブラウザまたはＥメール（インターネットを通じて発信されるメール）を通じて更新された情報を得ることができるようにした。
【発明の効果】
【０００５】  本システムにより，サイト閲覧者は，多数のサイトをサイト毎に閲覧することなく必要な情報があるか否かの確認ができる。例えば，企業の採用情報ページなどで，採用が始まったことを知らせる内容の更新があれば，本システムのサイトを見るだけで，採用募集が始まったことを知ることができるし、企業の新商品の発表がＷｅｂ上で発表されれば，その情報を本システムのＷｅｂ上で得ることができる。また，会員登録をすることによって，膨大な更新情報の中から一部のページやカテゴリーの更新情報のみをメールで会員利用者に送ることによって，更新情報を知らせることがで，得たい情報を限定できる。
【発明を実施するための最良の形態】
【０００６】  本システムにＵＲＬをデータベースのテーブル１に，本システムが独自に発行するコードとともに登録し、登録されたＵＲＬをもとに本システムが，登録時に対象となるＵＲＬのＨＴＭＬデータを収集し，テーブル１に登録する。【０００７】  テーブル１に登録するデータは，（１）対象となるページのＵＲＬ，（２）サイト名，（３）ページの名称，（４）サイト運営者とそのふりがな，（５）カテゴリー，（６）サブカテゴリー，（７）サブカテゴリー２（８）運営者ホームページのＵＲＬである。カテゴリーを細分化する理由は，カテゴリー毎にＷｅｂ上で表示するようにすることができるようにするためと，メール発信の際の発信登録を容易にするためである。【０００８】  登録するデータは，（１）対象となるサイトのＵＲＬ，例えば甲銀行の採用情報を登録したいならＵＲＬをｈｔｔｐ：／／ｅｘａｍｐｌｅ．ｃｏ．ｊｐ／ｓａｉｙｏｕ／ｉｎｄｅｘ．ｈｔｍｌを入力し、（２）サイト名は「甲銀行採用情報」と入力し、どういうサイトなのかをデータ上でまとめるために，（３）は，「採用情報」として，後述するリンクシステムに利用する。【０００９】  そして，（４）カテゴリーを「企業」で，（５）業種をサブカテゴリーに「金融」という業種を入力し登録する。さらに細分化するために（６）で，「銀行」と登録をする。（７）運営者のホームページＵＲＬをｈｔｔｐ：／／ｅｘａｍｐｌｅ．ｃｏ．ｊｐ／と登録する。そして，（３）サイトの運営者を「甲銀行」とし，ふりがなを「こうぎんこう」として，同時に登録するとともに，システムが独自のコード，たとえば，「５４３２１」といったコードを付与し，これらの情報とともに登録される。【００１０】  また，例えばタレントのブログであれば，そのインターネット上の日記であるブログのＵＲＬと（５）のカテゴリーを「ブログ」，（７）サブカテゴリーを「タレント」で登録する。同時に，そのタレントの所属する事務所が開設しているタレントのサイト，いわゆるオフィシャルサイトが存在するならば，それを（８）の運営者ホームページとしてテーブル１に登録する。それによって，ブログの更新情報とともに，そのタレントのオフィシャルサイトの更新情報を見ることができる。【００１１】  本システムは，即時にその登録されたＵＲＬのＨＴＭＬデータを収集して，データベースのテーブル２にテーブル１で付与されたコード，前例の「５４３２１」とともに登録する。【００１２】  データベースのテーブル３は，一定時間毎に登録されたＵＲＬを巡回して，テーブル２と同様のＨＴＭＬデータを収集して，データをテーブル２と比較して，すべて内容が一致するならば，そこで，処理を終了する。【００１３】  一致しないデータが存在する場合は，その一致しない部分のデータをテーブル３にその巡回した日時と，テーブル１で付与されたコードとともに登録すると同時に，テーブル１に同じ日時を登録する。そして，テーブル２の情報を，テーブル３で収集したデータにアップデートする。そうすることにより，次の更新時に，更新情報の二重の更新情報の計上を防ぐことができる。【００１４】  本システムがＷｅｂ上に更新情報を表示するためには，テーブル１のカテゴリーと日時の新しい順に並べて，コードをもとにテーブル３に記録されている更新情報を引き出してくる。さらに，テーブル１から，運営者のホームページＵＲＬをテーブル１内で検索して，一致するものを引き出して，そのサブカテゴリーを表示する。【００１５】  すなわち，甲銀行の採用情報が表示されるためには，巡回した時点で更新があって，その更新の内容がテーブル３にコード「５４３２１」が記録されると同時に，テーブル１に更新日時として同じテーブル３と同じ日時が記録されている。【００１６】  そして，本システムのＷｅｂページにアクセスがあった時点で，まず，テーブル１からカテゴリーと日時の新しいものの順にＵＲＬとコード例えば「５４３２１」を引き出し、テーブル３から「５４３２１」というコードと，テーブル１に一致する日時の更新情報を引き出してくる。そして，ＨＴＭＬタグを生成し、その下にテーブル３から得た更新情報にＨＴＭＬタグを付けてＷｅｂ上で掲載をする。【００１７】  次にリンクシステムの説明である。テーブル１内で，例えば登録時に前記（２）のサイト名を「甲銀行ＩＲ情報」で，このページのＵＲＬを「ｈｔｔｐ：／／ｅｘａｍｐｌｅ．ｃｏ．ｊｐ／ＩＲ／ｉｎｄｅｘ．ｈｔｍｌ」，運営者のホームページを「ｈｔｔｐ：／／ｅｘａｍｐｌｅ．ｃｏ．ｊｐ／」に登録していたとする。【０００１８】  このＩＲ情報が読み出されたときには，「甲銀行ＩＲ情報」と「ｈｔｔｐ：／／ｅｘａｍｐｌｅ．ｃｏ．ｊｐ／ＩＲ／ｉｎｄｅｘ．ｈｔｍｌ」をもとにリンク先のＵＲＬを生成し，次に，テーブル３の更新内容を表示する。ここまでは，段落００１４から段落００１６で説明した処理と同様である。そして，リンクシステムとして運営者のホームページのＵＲＬを「ｈｔｔｐ：／／ｅｘａｍｐｌｅ．ｃｏ．ｊｐ／」をもとに合致するデータを検索する。例えば，前述の段落０００８で登録した「採用情報」と，そのＵＲＬ「ｈｔｔｐ：／／ｅｘａｍｐｌｅ．ｃｏ．ｊｐ／ｓａｉｙｏｕ／ｉｎｄｅｘ．ｈｔｍｌ」は，運営者ホームページが「ｈｔｔｐ：／／ｅｘａｍｐｌｅ．ｃｏ．ｊｐ／」と登録されているので検索で一致する。そして，これをリンク先として「採用情報」のＨＴＭＬタグを生成する。この処理を「ｈｔｔｐ：／／ｅｘａｍｐｌｅ．ｃｏ．ｊｐ／」と合致するものがある限り繰り返す。【００１９】  以上のように処理することで，本システム閲覧者は，サイトページの更新情報を得るとともに，それに関連するページの情報も得ることができる。【００２０】  次にメールシステムの説明である。【００２１】  しかし、利用者が得たいページが時々しか更新されない場合は，本システムでも見落とす可能性がある。そこで，利用者が本システムに会員登録をすることによって，得たい情報のカテゴリーまたは，特定のページを会員ページで登録をする。【００２２】  そして，登録したカテゴリーないしはページの更新が発生したら，その更新情報として会員登録利用者にＥメールを通して発信する。そうすることで，更新情報の見落としがないようにできる。【００２３】  例えば，会員登録利用者が自動車関連の情報にしか興味がない場合は，他の情報は不要であるから，カテゴリーに「自動車」とあるページの内容が更新されたら，それをＥメールで発信するというものである。
【実施例】
【００２４】特許出願時までは，公にできないので非公開で実施していない。
【産業上の利用可能性】
【００２５】  閲覧者が閲覧するページには，ポータルサイトと呼ばれるｇｏｏやＹａｈｏｏといったページも含まれ，これらのページはニュースなど様々な情報を提供している。しかし，これらのページもサイトの１つであり，それぞれのサイトを閲覧するのは浪費である。そこで，これらのサイトも本システムに登録することで，一度に更新情報を得ることができる。そして，この発明のシステムを利用することで，このシステムから得られた情報をもとにそのページにインターネット利用者が行くので，本発明によって相手先のサイトの集客力につながる。
【図面の簡単な説明】
【００２６】
【図１】ＵＲＬ登録時のデータベースとその動き
【図２】更新時のデータベースの働き
【図３】閲覧者が本システムにウェーブブラウザでアクセスしてきたときの基本的な動き
【図１】
2009070355.tif 000003
【図２】
2009070355.tif 000004
【図３】
2009070355.tif 000005